(57)【要約】      （修正有）【課題】ディスプレイモジュールの製造規格に適合させる必要がなく、携帯にも便利な表示装置或いはパソコン搭載用の可撓性タッチ装置を提供する。【解決手段】透光性を有するタッチパネル１１、タッチパネルに接続される可撓性回路基板１２、可撓性回路基板の表面に設置されて伝送信号をタッチパネルに発信させると共にタッチパネルからの受信信号を処理する制御回路１３、及び可撓性回路基板に設置されると共に制御回路からの出力信号を受信する信号コネクタ１４を備える。この可撓性タッチ装置を表示装置の表面の少なくとも一部分に被覆し、信号コネクタをケーブルにより表示装置に電気的にカップリングさせることでタッチディスプレイシステムが形成される。【選択図】図１Ａ
0003188529.tif 000002
【実用新案登録請求の範囲】
【請求項１】
透光性を有するタッチパネルと、
前記タッチパネルに接続される可撓性回路基板と、
前記可撓性回路基板の表面に設置され、伝送（ＴＸ）信号を前記タッチパネルに発信させると共に前記タッチパネルからの受信（ＲＸ）信号を処理させる制御回路と、
前記可撓性回路基板に設置されると共に前記制御回路からの出力信号を受信させる信号コネクタを備える事を特徴とする、
可撓性タッチ装置。
【請求項２】
前記タッチパネルは薄膜感知器を備える事を特徴とする、請求項１に記載の可撓性タッチ装置。
【請求項３】
前記タッチパネルは、可撓性基板と、前記可撓性基板の上に設けられる感知層を備える事を特徴とする、請求項１に記載の可撓性タッチ装置。
【請求項４】
可撓性タッチ装置と、
表示装置を備え、
前記可撓性タッチ装置は、
透光性を有するタッチパネルと、
前記タッチパネルに接続される可撓性回路基板と、
前記可撓性回路基板の表面に設置され、伝送（ＴＸ）信号を前記タッチパネルに発信させると共に前記タッチパネルからの受信（ＲＸ）信号を処理させる制御回路と、
前記可撓性回路基板に設置されると共に前記制御回路からの出力信号を受信させる信号コネクタを更に備え、
ここでは、前記表示装置はその表面の少なくとも一部分は前記可撓性タッチ装置に適当に被覆され、且つ前記信号コネクタをケーブルにより前記表示装置に電気的にカップリングさせる事を特徴とする、
タッチディスプレイシステム。
【請求項５】
前記表示装置の表面の他の部分は前記可撓性タッチ装置に被覆されない事を特徴とする、請求項４に記載のタッチディスプレイシステム。
【請求項６】
前記タッチパネルは薄膜感知器を備える事を特徴とする、請求項４に記載のタッチディスプレイシステム。
【請求項７】
前記タッチパネルは、可撓性基板と、前記可撓性基板の上に設けられる感知層を備える事を特徴とする、請求項４に記載のタッチディスプレイシステム。
【請求項８】
可撓性タッチ装置と、
パソコン本体を備え、
前記可撓性タッチ装置は、
タッチパネルと、
前記タッチパネルに接続される可撓性回路基板と、
前記可撓性回路基板の表面に設置され、伝送（ＴＸ）信号を前記タッチパネルに発信させると共に前記タッチパネルからの受信（ＲＸ）信号を処理させる制御回路と、
前記可撓性回路基板に設置されると共に前記制御回路からの出力信号を受信させる信号コネクタを更に備え、
ここでは、前記パソコン本体は前記信号コネクタをケーブルにより前記パソコン本体に電気的にカップリングさせる事を特徴とするタッチ位置決めを有するパソコン。
【請求項９】
前記タッチパネルは薄膜感知器を備える事を特徴とする、請求項８に記載のタッチ位置決めを有するパソコン。
【請求項１０】
前記タッチパネルは、可撓性基板と、前記可撓性基板の上に設けられる感知層を備える事を特徴とする、請求項８に記載のタッチ位置決めを有するパソコン。
【考案の詳細な説明】
【技術分野】
【０００１】
本考案は、表示装置或いはパソコンを搭載する可撓性タッチ装置に関する。
【背景技術】
【０００２】
従来のタッチディスプレイの設計及び製造はタッチモジュールとディスプレイモジュールを結合（ｂｏｎｄ）或いは整合（ｉｎｔｅｇｒａｔｅ）させたものである。故に、タッチモジュール及びディスプレイモジュールの両者の製造規格を一致させる必要があり、このためタッチディスプレイの製造コスト及び時間を効果的に削減出来ず、また歩留まりを高める事も出来なかった。
【考案の概要】
【考案が解決しようとする課題】
【０００３】
しかしながら、前述した従来のタッチパネル技術では、タッチディスプレイが工場で製造された後、タッチモジュールとディスプレイモジュールとを分けて単独で使用することは出来なかった。このため、応用に於いては、タッチモジュールかディスプレイモジュールかのどちらか一方の機能のみを使用する場合、もう一方のモジュールは浪費される形となった。このほか、従来のタッチディスプレイは電子装置（例えばパソコン）に結合されるため、携帯には不便であった。
【０００４】
そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。上記課題解決のため、本考案は、可撓性タッチ装置を提供することを主目的とする。すなわち、可撓性及び携帯性を有し、表示装置に搭載させてタッチディスプレイシステムを形成させる、或いはパソコンに組み合わせてタッチ位置決めを有するパソコンシステムを形成させる。
【課題を解決するための手段】
【０００６】
上述した課題を解決し、目的を達成するために、本考案に係る可撓性タッチ装置は、透光性を有するタッチパネルと、前記タッチパネルに接続される可撓性回路基板と、前記可撓性回路基板の表面に設置され、伝送（ＴＸ）信号を前記タッチパネルに発信させると共に前記タッチパネルからの受信（ＲＸ）信号を処理させる制御回路と、前記可撓性回路基板に設置されると共に前記制御回路からの出力信号を受信させる信号コネクタを備えることを特徴とする。
【０００７】
この好ましい実施例１では、可撓性タッチ装置は表示装置の表面の少なくとも一部分を適当に被覆させ、信号コネクタをケーブルにより表示装置に電気的にカップリングさせるタッチディスプレイシステムが形成される。
好ましい実施例２では、信号コネクタをケーブルによりパソコンに電気的にカップリングさせ、タッチ位置決めを有するパソコンシステムを形成させる。
【図面の簡単な説明】
【０００８】
【図１Ａ】本考案の実施例１による可撓性タッチ装置を説明する透視図である。
【図１Ｂ】図１Ａによる可撓性タッチ装置が折り曲げられる透視図である。
【図２】図１Ａによる可撓性タッチパネルを説明する側視図である。
【図３Ａ】本考案の実施例１による可撓性タッチ装置を表示装置に搭載してなるタッチディスプレイシステムを説明する透視図である。
【図３Ｂ】本考案の実施例１の変化例による可撓性タッチ装置を表示装置に搭載してなるタッチディスプレイシステムを説明する透視図である。
【図４】本考案の実施例２による可撓性タッチ装置をパソコンに搭載してなるタッチ位置決めを有するパソコンシステムを説明する透視図である。
【考案を実施するための形態】
【０００９】
本考案における好適な実施の形態について、添付図面を参照して説明する。尚、以下に説明する実施の形態は、実用新案登録請求の範囲に記載された本発明の内容を限定するものではない。また、以下に説明される構成の全てが、本考案の必須要件であるとは限らない。
【実施例１】
【００１０】
以下、実施例１を図１Ａ〜３Ｂに基づいて説明する。
図１Ａは本考案の実施例１による可撓性（ｆｌｅｘｉｂｌｅ）タッチ装置１００を説明する透視図である。可撓性タッチ装置１００は可撓性を有するので、図１Ｂに示すように巻取り可能であり、携帯に便利であるため携帯性を有する。
【００１１】
本実施例の可撓性タッチ装置１００はタッチパネル１１、可撓性回路基板１２、制御回路１３、及び信号コネクタ１４を主に備える。図２は図１Ａによる可撓性タッチパネル１１を説明する側視図であり、可撓性基板１１１及び可撓性基板１１１の上に設けられる感知層１１２を主に備える。従来の硬性タッチパネルと比較し、本実施例の可撓性タッチパネル１１は硬性基板（例えば、ガラス基板）或いは硬性被覆層を使用せず、タッチパネル１１は薄膜感知器（ｆｉｌｍ  ｓｅｎｓｏｒ）とも呼称される。
【００１２】
本実施例による可撓性基板１１１の材質は透明或いは不透明の絶縁材料であり、例えばポリエチレンテレフタレート（Ｐｏｌｙｅｔｈｙｌｅｎｅ  ｔｅｒｅｐｈｔｈａｌａｔｅ、  ＰＥＴ）、ポリカーボネート（Ｐｏｌｙｃａｒｂｏｎａｔｅ、  ＰＣ）、ポリメタクリル酸メチル（Ｐｏｌｙｍｅｔｈｙｌ  ｍｅｔｈａｃｒｙｌａｔｅ、  ＰＭＭＡ）、環状オレフィンポリマー（Ｃｙｃｌｉｃ  ｏｌｅｆｉｎ  ｐｏｌｙｍｅｒ、  ＣＯＰ）、環状オレフィンコポリマー（Ｃｙｃｌｉｃ  ｏｌｅｆｉｎ  ｃｏｐｏｌｙｍｅｒ、  ＣＯＣ）、トリアセチルセルロース（Ｔｒｉａｃｅｔｙｌ  ｃｅｌｌｕｌｏｓｅ、  ＴＡＣ）、ポリプロピレン（Ｐｏｌｙ  ｐｒｏｐｙｌｅｎｅ、  ＰＰ）、或いはポリスチレン（Ｐｏｌｙ  ｓｔｙｒｅｎｅ、  ＰＳ）等の材料である。
【００１３】
本実施例による感知層１１２の材質は透明或いは不透明導電材料であり、例えば酸化インジウム錫（ＩＴＯ）、酸化インジウム亜鉛（ＩＺＯ）、金属ナノワイヤ、或いは金属ナノネット等である。感知層１１２は少なくとも１つのサブ感知層を備え、複数のサブ感知層を電気的に隔離させる絶縁層を更に備える。サブ感知層の配置及び電極のパターン（ｐａｔｔｅｒｎ）には従来のタッチパネルの配置及びパターンを使用するため、詳細は省く。
【００１４】
本実施例による可撓性回路基板１２（例えば、可撓性のプリント回路基板）はタッチパネル１１に接続されると共にタッチパネル１１の導電走査線（ｔｒａｃｅ）（図示せず）に電気的にカップリングされ、これら前記導電走査線は制御回路１３（例えば、集積回路或いはチップの制御）に電気的にカップリングされる。
制御回路１３は可撓性回路基板１２の表面に設置され、主に伝送（ＴＸ）信号を伝送電極に発信させて受信電極からの受信（ＲＸ）信号を処理させる。信号コネクタ１４は可撓性回路基板１２に設置され、制御回路１３からの出力信号をケーブル１５を通し他の電子装置に伝送させる。信号コネクタ１４の信号規格はデファクトスタンダード（例えばユニバーサル・シリアル・バス（ＵＳＢ））でも、プロプリエタリ（ｐｒｏｐｒｉｅｔａｒｙ）でもよい。
【００１５】
図３Ａは本考案の実施例１による可撓性タッチ装置１００を表示装置３００（例えば、液晶表示装置）に搭載してなるタッチディスプレイシステム３Ａを説明する透視図である。本実施例に係るタッチパネル１１は光透過性を有するので、表示装置３００の上面に被覆されても、タッチパネル１１の頂面から表示装置３００が表示する映像を視認可能である。
可撓性タッチ装置１００の信号コネクタ１４（例えばＵＳＢコネクタ）はケーブル１５により表示装置３００のコネクタ３１（例えばＵＳＢコネクタ）に電気的にカップリングされる。これにより、可撓性タッチ装置１００を表示装置３００に搭載させて形成されるタッチディスプレイシステム３Ａはタッチディスプレイの機能を実行可能となる。
本実施例による可撓性タッチ装置１００はアドオン（ａｄｄ−ｏｎ或いはｐｌｕｇ−ｉｎ）やアクセサリー（ａｃｃｅｓｓｏｒｙ）装置としても、独立電子（入力）装置としてもよく、従来のタッチモジュールのようにディスプレイモジュールに結合（ｂｏｎｄ）或いは整合（ｉｎｔｅｇｒａｔｅ）させなくともよい。このため、従来のタッチディスプレイ（タッチモジュールとディスプレイモジュールとを結合ないしは整合させる）に比べ多くの長所を有する。
例えば、単一の携帯式可撓性タッチ装置１００を（ａｄａｐｔｉｖｅｌｙ）複数の表示装置３００に適当に搭載させて表示装置３００の使用台数を減らせる。なお、例えば、複数の可撓性タッチ装置１００を単一の表示装置３００に選択的に搭載させると、これら前記可撓性タッチ装置１００は各々異なる形態やパターンを有するため、タッチディスプレイは多様化する。このほか、従来のタッチディスプレイと比較し、本実施例による可撓性タッチ装置１００の製造はディスプレイモジュールの製造規格に適合させる必要はなく、このため可撓性タッチ装置１００の製造コスト及び時間を大幅に減らし、歩留まりも実質的に向上させる。
【００１６】
図３Ｂは本考案の実施例１の変化例による可撓性タッチ装置１００を表示装置３００（例えば、液晶表示装置）に搭載してなるタッチディスプレイシステム３Ｂを説明する透視図である。
本実施例では、可撓性タッチ装置１００のサイズは表示装置３００のサイズより小さく、表示装置３００の表面に部分的に被覆されると、表示装置３００の被覆領域はタッチディスプレイの機能を実行させ、表示装置３００の非被覆領域は本来の単純なディスプレイの機能を維持させる。
このため、図３Ｂに図示する実施例では、図３Ａに図示する実施例の長所を有する以外、複合式（ｃｏｍｐｏｓｉｔｅ）タッチディスプレイシステム３Ｂを更に形成させ、部分領域はタッチ及びディスプレイ機能を有し、他の部分領域は単純なディスプレイ機能を有する。複合式タッチディスプレイの機能は従来のタッチディスプレイが達成する機能とは違い、相当なコストと製造時間を費やす。
【実施例２】
【００１７】
図４は本考案の実施例２による可撓性タッチ装置１００をパソコン（パソコン本体）４００（例えば、ノートパソコン）に搭載してなるタッチ位置決めを有するパソコンシステム４を説明する透視図である。
本実施例のタッチパネル１１は非透光性（透光性でもよい）を有するため、信号コネクタ１４（例えばＵＳＢコネクタ）をケーブル１５によりパソコン４００のコネクタ４１（例えばＵＳＢコネクタ）に電気的にカップリングさせる。タッチパネル１１のサイズはパソコン４００のモニター４２のサイズよりも小さい（モニター４２のサイズと同じでもより大きくてもよい）。これにより、可撓性タッチ装置１００をパソコン４００に搭載させてタッチ位置決めを有するパソコンシステム４を形成させ、位置決め（ｐｏｓｉｔｉｏｎｉｎｇ）及びポインティング（ｐｏｉｎｔｉｎｇ）の機能を実行させる。
本実施例の可撓性タッチ装置１００はアドオン（ａｄｄ−ｏｎ或いはｐｌｕｇ−ｉｎ）ないしはアクセサリー（ａｃｃｅｓｓｏｒｙ）装置でも、独立電子（入力）装置やタッチパッド（ｔｏｕｃｈ  ｐａｄ）装置でもよく、一般的なマウスのポインティング機能に類似する機能を有し、マウスよりも優れる位置決め機能を有する。従来の（非可撓性）タッチパッドに比べ、本実施例による可撓性タッチ装置１００は可撓性を有するため携帯に便利であり、使用していない時は図１Ｂのように巻き取れるため収納にも便利である。
ちなみに、本実施例（図４の参照）の可撓性タッチ装置１００を透光性を有するように製造する場合、図４に図示するタッチ位置決めを有するパソコンシステム４に適用される以外にも、図３Ａ及び図３Ｂに図示するタッチディスプレイシステム３Ａ及びタッチディスプレイシステム３Ｂに適用させても良い。
【００１８】
以上、本考案の実施形態について図面を参照して詳述したが、具体的な構成はこの実施形態に限られるものではなく、本考案の要旨を逸脱しない範囲の設計変更等も含まれる。
【符号の説明】
【００１９】
１００  可撓性タッチ装置
１１    タッチパネル
１１１  可撓性基板
１１２  感知層
１２    可撓性回路基板
１３    制御回路
１４    信号コネクタ
１５    ケーブル
３Ａ    タッチディスプレイシステム
３００  表示装置
３１    コネクタ
４      タッチ位置決めを有するパソコンシステム
４００  パソコン（パソコン本体）
４１    コネクタ
４２    モニター
【図１Ａ】
0003188529.tif 000003
【図１Ｂ】
0003188529.tif 000004
【図２】
0003188529.tif 000005
【図３Ａ】
0003188529.tif 000006
【図３Ｂ】
0003188529.tif 000007
【図４】
0003188529.tif 000008
【手続補正書】
【提出日】平成25年11月18日(2013.11.18)
【手続補正１】
【補正対象書類名】実用新案登録請求の範囲
【補正対象項目名】全文
【補正方法】変更
【補正の内容】
【実用新案登録請求の範囲】
【請求項１】
透光性を有するタッチパネルと、
前記タッチパネルに接続される可撓性回路基板と、
前記可撓性回路基板の表面に設置され、伝送（ＴＸ）信号を前記タッチパネルに発信させると共に前記タッチパネルからの受信（ＲＸ）信号を処理させる制御回路と、
前記可撓性回路基板に設置されると共に前記制御回路からの出力信号を受信させる信号コネクタを備える事を特徴とする、
可撓性タッチ装置。
【請求項２】
前記タッチパネルは薄膜感知器を備える事を特徴とする、請求項１に記載の可撓性タッチ装置。
【請求項３】
前記タッチパネルは、可撓性基板と、前記可撓性基板の上に設けられる感知層を備える事を特徴とする、請求項１に記載の可撓性タッチ装置。
【請求項４】
可撓性タッチ装置と、
表示装置を備え、
前記可撓性タッチ装置は、
透光性を有するタッチパネルと、
前記タッチパネルに接続される可撓性回路基板と、
前記可撓性回路基板の表面に設置され、伝送（ＴＸ）信号を前記タッチパネルに発信させると共に前記タッチパネルからの受信（ＲＸ）信号を処理させる制御回路と、
前記可撓性回路基板に設置されると共に前記制御回路からの出力信号を受信させる信号コネクタを更に備え、
前記表示装置はその表面の少なくとも一部分を前記可撓性タッチ装置に被覆され、且つ前記信号コネクタをケーブルにより前記表示装置に電気的にカップリングさせる事を特徴とする、
タッチディスプレイシステム。
【請求項５】
前記表示装置の表面の他の部分は前記可撓性タッチ装置に被覆されない事を特徴とする、請求項４に記載のタッチディスプレイシステム。
【請求項６】
前記タッチパネルは薄膜感知器を備える事を特徴とする、請求項４に記載のタッチディスプレイシステム。
【請求項７】
前記タッチパネルは、可撓性基板と、前記可撓性基板の上に設けられる感知層を備える事を特徴とする、請求項４に記載のタッチディスプレイシステム。
【請求項８】
可撓性タッチ装置と、
パソコン本体を備え、
前記可撓性タッチ装置は、
タッチパネルと、
前記タッチパネルに接続される可撓性回路基板と、
前記可撓性回路基板の表面に設置され、伝送（ＴＸ）信号を前記タッチパネルに発信させると共に前記タッチパネルからの受信（ＲＸ）信号を処理させる制御回路と、
前記可撓性回路基板に設置されると共に前記制御回路からの出力信号を受信させる信号コネクタを更に備え、
前記パソコン本体は前記信号コネクタをケーブルにより前記パソコン本体に電気的にカップリングさせる事を特徴とするタッチ位置決めを有するパソコン。
【請求項９】
前記タッチパネルは薄膜感知器を備える事を特徴とする、請求項８に記載のタッチ位置決めを有するパソコン。
【請求項１０】
前記タッチパネルは、可撓性基板と、前記可撓性基板の上に設けられる感知層を備える事を特徴とする、請求項８に記載のタッチ位置決めを有するパソコン。